(57)【特許請求の範囲】
【請求項１】
本体フレームの前面側に紙幣ガイド口を設けた紙幣入口部が配置されるとともに、その背面側に紙幣を収納する紙幣収納部が配置され、前記本体フレームに形成されたフレーム開口部を経由して、前記紙幣ガイド口を前記紙幣収納部に接続するように紙幣搬送路が構成されている紙幣識別装置において、
前記フレーム開口部を含む前記本体フレームの前面側に、前記紙幣入口部として縦横がほぼ等しい長さで配置されたガイドカバーと、
前記ガイドカバーの中央位置よりやや下方に、前記紙幣ガイド口として横長に形成された開口と、
を備え、
前記本体フレームには、前記フレーム開口部を前記紙幣ガイド口から離れた前記ガイドカバーの上部と対応する位置に形成するとともに、前記本体フレーム自体に所定の剛性を持たせ、
前記紙幣搬送路は、前記ガイドカバーの内側で前記本体フレームに沿って上方に伸び、前記本体フレームの前面側と背面側を跨ぐように、逆Ｕ字形状に屈曲して構成されるとともに、前記本体フレームの背面側であって、前記紙幣ガイド口の近傍に搬送ローラを備え、
前記搬送ローラは、前記フレーム開口部とは分離して前記本体フレームに形成された開口部から、前記本体フレームの前面側に向かって突出するように配置され、
前記搬送ローラを用いて、投入紙幣を前記紙幣ガイド口から取り込むとともに前記紙幣収納部に搬入するようにしたことを特徴とする紙幣識別装置。
【請求項２】
前記搬送ローラは、前記紙幣搬送路の左右に一対設けられ、前記投入紙幣をその左右端近傍で圧接して搬送することを特徴とする請求項１記載の紙幣識別装置。
【請求項３】
本体フレームの前面側に紙幣ガイド口を設けた紙幣入口部が配置されるとともに、その背面側に紙幣を収納する紙幣収納部が配置され、前記本体フレームに形成されたフレーム開口部を経由して、前記紙幣ガイド口を前記紙幣収納部に接続するように紙幣搬送路が構成されている紙幣識別装置において、
前記フレーム開口部を含む前記本体フレームの前面側に、前記紙幣入口部として縦横がほぼ等しい長さで配置されたガイドカバーと、
前記ガイドカバーの中央位置よりやや下方に、前記紙幣ガイド口として横長に形成された開口と、
を備え、
前記本体フレームには、前記フレーム開口部を前記紙幣ガイド口から離れた前記ガイドカバーの上部と対応する位置に形成するとともに、前記本体フレーム自体に所定の剛性を持たせ、
前記紙幣搬送路は、前記ガイドカバーの内側で前記本体フレームに沿って上方に伸び、前記本体フレームの前面側と背面側を跨ぐように、逆Ｕ字形状に屈曲して構成されるとともに、前記本体フレームの背面側であって、前記紙幣ガイド口の近傍と前記フレーム開口部の近傍との間に延在する搬送ベルト機構が配置され、
前記搬送ベルト機構は、前記フレーム開口部とは分離して前記本体フレームに形成された開口部から、前記本体フレームの前面側に向かって部分的に突出する搬送ベルトを備え、
前記搬送ベルトを用いて、投入紙幣を前記紙幣ガイド口から取り込むとともに前記紙幣収納部に搬入するようにしたことを特徴とする紙幣識別装置。
【請求項４】
前記搬送ベルト機構は、
前記フレーム開口部とは分離して前記本体フレームに形成された開口部、および前記フレーム開口部にそれぞれ配置された、前記搬送ベルトを回転駆動するための駆動ローラおよび従動ローラと、
前記駆動ローラと前記従動ローラとの中間位置で前記本体フレームの背面側に前記搬送ベルトを屈曲させるアイドルプーリと、
を備えることを特徴とする請求項３記載の紙幣識別装置。
【請求項５】
前記本体フレームには、前記フレーム開口部の近傍であって、その背面側に紙幣識別部を備え、
前記紙幣識別部により前記紙幣ガイド口から取り込まれた投入紙幣を真贋判定するとともに、前記投入紙幣のうち、正しく識別できなかったものを前記紙幣ガイド口に返却するようにしたことを特徴とする請求項１または３のいずれかに記載の紙幣識別装置。
【発明の詳細な説明】
【技術分野】
【０００１】
本発明は、紙幣ガイド口を紙幣収納部に接続するように紙幣搬送路が構成されている紙幣識別装置に関し、とくに自動販売機などに搭載され、そこに投入された紙幣を識別して収納保持するようにした紙幣識別装置に関する。
【背景技術】
【０００２】
紙幣を取り扱うことができる自動販売機などにおいては、紙幣収納庫を備えた紙幣識別装置が内部に搭載されている。このような紙幣識別装置では、紙幣入口部に設けた紙幣ガイド口から紙幣が投入されると、その真贋や金種などを識別して、正しく識別できた場合には投入された紙幣をその内部の紙幣収納庫に収納し、正しく識別できなかった場合には返却するようにしている。
【０００３】
自動販売機は、一般に屋外などに設置され、高額金種の紙幣が収納されている場合が多い。紙幣識別装置には、その紙幣収納部に紙幣が収納されるだけでなく、その紙幣入口部が自動販売機の正面扉から露出するように配置されていることから、盗札目的の破壊行為が発生しやすい。
【０００４】
自動販売機に対する破壊行為としては、紙幣入口部の狭い紙幣ガイド口から、たとえばドライバなどを挿入してその間口を抉じ開けて、そこから収納紙幣を抜き取る、といったことが行われやすい。そのため、自動販売機などに設置される紙幣識別装置は、その本体フレームを強固なものにするなどして、防盗性を向上させることが望まれている。
【０００５】
このようなニーズに対して、たとえドライバなどを用いた破壊行為が行われたとしても、内部の紙幣収納庫に収納されている紙幣には近づくことができないようにして、その防盗性を向上させた紙幣識別装置が知られている（たとえば、特許文献１参照。）。この紙幣識別装置は、紙幣収納庫が配置される本体フレームとは別に、屈曲部を有する補強板によって紙幣収納庫を覆うように構成され、紙幣入口部からの外力が加わったとき補強板がその屈曲部で屈曲し、紙幣収納庫を覆い隠すように倒れ込む。
【０００６】
このように、紙幣ガイド口から紙幣収納庫に至る紙幣搬送路が形成された本体フレームを補強板で補強すると同時に、補強板が屈曲することによって紙幣収納庫を覆うことにより、収納された紙幣を保護しようとするものである。
【０００７】
しかしながら、こうした紙幣識別装置では、紙幣ガイド口自体はバールなどによって比較的容易にその間口を広げることが可能であり、その間口が大きく広げられると、紙幣収納庫を覆い隠すように倒れ込んだ補強板自体も容易に破壊されてしまう。すなわち、バールなどによる破壊行為に対して、紙幣ガイド口自体の間口の広がりが抑制できないことから、従来の紙幣識別装置は防盗性という面で十分ではないという問題点があった。
【０００８】
そこで、紙幣ガイド口内側の上下にそれぞれ補強板を配置して、それらを本体フレームに固定するとともに、これらの補強板を相互に連結して、紙幣入口部に形成された紙幣ガイド口の間口を補強した紙幣識別装置が本件出願人によって提案されている（たとえば、特許文献２参照。）。ここでは、上下いずれか一方の補強板をばね材で構成することにより、バールなどで間口を広げるような外力が加わったとしても、その補強板は一時的に変形するだけで、外力が加わらなくなると元の形に復帰する構成とした。これにより、紙幣入口部自体の間口の広がりを抑制でき、紙幣識別装置の防盗性を向上させることができる。
【特許文献１】特開２００１−２０９８５２号公報（段落番号〔００１０〕〜〔００１１〕，図１）
【特許文献２】特開２００５−２８４６９２号公報（段落番号〔００１１〕〜〔００２０〕，図４）
【発明の開示】
【発明が解決しようとする課題】
【０００９】
上述した従来装置では、紙幣ガイド口内側の上下に本体フレームとは別の補強板をそれぞれ装着しているので、部品点数が増加し、かつ製造コストも上昇するという問題があった。
【００１０】
また、防盗性を向上させるために紙幣識別装置の部品点数が増加すれば、そのための補強板などを設置するスペースが余分に必要となるだけでなく、構造的にも複雑な構成になる。
【００１１】
しかも、本体フレームを跨いで配置された紙幣搬送路によって、投入紙幣を紙幣ガイド口から紙幣収納部まで搬入する構成の紙幣識別装置では、補強板を設けることで紙幣搬送路の配置だけでなく、紙幣搬送路の構成自体が制約される。そのため、紙幣識別装置の保守点検が困難になるなどの問題もあった。
【００１２】
本発明はこのような点に鑑みてなされたものであり、最少の構成部品で安価に、かつ確実に防盗性を高めることができる紙幣識別装置を提供することを目的とする。
【課題を解決するための手段】
【００１３】
本発明では、上記問題を解決するために、本体フレームの前面側に紙幣ガイド口を設けた紙幣入口部が配置されるとともに、その背面側に紙幣を収納する紙幣収納部が配置され、前記本体フレームに形成されたフレーム開口部を経由して、前記紙幣ガイド口を前記紙幣収納部に接続するように紙幣搬送路が構成されている紙幣識別装置において、前記フレーム開口部を含む前記本体フレームの前面側に、前記紙幣入口部として縦横がほぼ等しい長さで配置されたガイドカバーと、前記ガイドカバーの中央位置よりやや下方に、前記紙幣ガイド口として横長に形成された開口と、を備え、前記本体フレームには、前記フレーム開口部を前記紙幣ガイド口から離れた前記ガイドカバーの上部に対応する位置に形成するとともに、前記本体フレーム自体に所定の剛性を持たせ、前記紙幣搬送路は、前記ガイドカバーの内側で前記本体フレームに沿って上方に伸び、前記本体フレームの前面側と背面側を跨ぐように、逆Ｕ字形状に屈曲して構成されるとともに、前記本体フレームの背面側であって、前記紙幣ガイド口の近傍に搬送ローラを備え、前記搬送ローラは、前記フレーム開口部とは分離して前記本体フレームに形成された開口部から、前記本体フレームの前面側に向かって突出するように配置され、前記搬送ローラを用いて、投入紙幣を前記紙幣ガイド口から取り込むとともに前記紙幣収納部に搬入するようにしたことを特徴とする紙幣識別装置が提供される。
【００１４】
また、本体フレームの前面側に紙幣ガイド口を設けた紙幣入口部が配置されるとともに、その背面側に紙幣を収納する紙幣収納部が配置され、前記本体フレームに形成されたフレーム開口部を経由して、前記紙幣ガイド口を前記紙幣収納部に接続するように紙幣搬送路が構成されている紙幣識別装置において、前記フレーム開口部を含む前記本体フレームの前面側に、前記紙幣入口部として縦横がほぼ等しい長さで配置されたガイドカバーと、前記ガイドカバーの中央位置よりやや下方に、前記紙幣ガイド口として横長に形成された開口と、を備え、前記本体フレームには、前記フレーム開口部を前記紙幣ガイド口から離れた前記ガイドカバーの上部と対応する位置に形成するとともに、前記本体フレーム自体に所定の剛性を持たせ、前記紙幣搬送路は、前記ガイドカバーの内側で前記本体フレームに沿って上方に伸び、前記本体フレームの前面側と背面側を跨ぐように、逆Ｕ字形状に屈曲して構成されるとともに、前記本体フレームの背面側であって、前記紙幣ガイド口の近傍と前記フレーム開口部の近傍との間に延在する搬送ベルト機構が配置され、前記搬送ベルト機構は、前記フレーム開口部とは分離して前記本体フレームに形成された開口部から、前記本体フレームの前面側に向かって部分的に突出する搬送ベルトを備え、前記搬送ベルトを用いて、投入紙幣を前記紙幣ガイド口から取り込むとともに前記紙幣収納部に搬入するようにしたことを特徴とする紙幣識別装置が提供される。
この紙幣識別装置では、本体フレームのフレーム開口部を紙幣ガイド口から離れたガイドカバーの上部と対応する位置に形成したので、本体フレームの前面側の紙幣ガイド口と、その背面側の紙幣収納部との間を塞ぐ本体フレーム自体の防盗性を高めることができる。
【発明の効果】
【００１５】
本発明によれば、本体フレーム自体がバールなどの破壊行為に耐え得る十分な強度を備えるとともに、本体フレームとは別の補強板などを用いなくても、最少の構成部品で紙幣収納部に収納された紙幣が露出しないようにすることで、防盗性の高い紙幣識別装置を実現できる。
【発明を実施するための最良の形態】
【００１６】
以下、図面を参照してこの発明の実施の形態について説明する。図１は、実施の形態に係る紙幣識別装置の全体を示す外観斜視図である。
紙幣識別装置は、たとえば自動販売機の前面扉の内側に取り付けられるものであって、本体フレーム１と、この本体フレーム１の前面（自動販売機の前面扉）側に取り付けられて紙幣を取り込む紙幣入口部２と、図示しない紙幣識別部と、紙幣を集積収納する紙幣収納庫（スタッカ）３とを備えている。紙幣収納庫３は、紙幣入口部２の紙幣ガイド口４から取り込まれた紙幣を識別する紙幣識別部とともに、本体フレーム１の背面側に取り付けられる。
【００１７】
この紙幣識別装置では、とくに、これが取り付けられる自動販売機側の取り付けスペースの関係から、紙幣入口部２が縦長の本体フレーム１の上部に配置され、本体フレーム１内に搬入された紙幣は、その上部に配置された紙幣識別部で識別され、下部に配置された紙幣収納庫３に収納保管される構成になっている。
【００１８】
図２は、紙幣入口部、紙幣識別部、および紙幣収納庫を示す縦断面図、図３は、紙幣入口部のガイドカバーを外した本体フレームの一部分を示す斜視図、図４は、図３のＡ−Ａ線に沿った本体フレームの縦断面図である。
【００１９】
図２に示すように、紙幣入口部２、紙幣収納庫３、および紙幣識別部５は本体フレーム１に取り付けられている。
紙幣入口部２は、紙幣ガイド口４を設けたガイドカバー２１に覆われて、本体フレーム１の前面側に配置されている。また、本体フレーム１の背面側には、投入された紙幣ＢＮを識別する紙幣識別部５と、紙幣ＢＮを収納する紙幣収納庫３とが配置され、紙幣搬送路６は紙幣ガイド口４から紙幣識別部５を経由して紙幣収納庫３に接続されている。
【００２０】
紙幣入口部２には、紙幣ガイド口４がガイドカバー２１の正面の中央よりやや下方で横長に開口しており、ガイドカバー２１の内側で本体フレーム１に沿って上方に伸びる紙幣搬送路６に接続されている。この紙幣搬送路６は、本体フレーム１の前面側と背面側を跨ぐような形で、逆Ｕ字形状に屈曲して上下に離間配置された搬送ガイド板６１，６２によって構成されている。このうち下部の搬送ガイド板６１は、図１に示すように、紙幣ガイド口４に連結されている部分が水切り構造に形成されていて、紙幣ガイド口４より浸入した雨水を排水し、そこに挿入された紙幣ＢＮが雨水によって吸着しないよう、紙幣ＢＮが線接触する構成となっている。
【００２１】
本体フレーム１には、その前面に配置される紙幣入口部２の紙幣ガイド口４から離れた上部位置に、図３に示すような形状で、紙幣搬入用のフレーム開口部１１が形成されている。このフレーム開口部１１は、挿入される紙幣ＢＮの横幅に対応する大きさで構成され、そこに紙幣搬送路６を構成する搬送ガイド板６１，６２が配置される。
【００２２】
本体フレーム１の背面側には、図３に示す左右一対の搬送ローラ７Ｌ，７Ｒからなる第１搬送ローラ７、および搬送ローラ７Ｌ，７Ｒより上方に配置された搬送ローラ８Ｌ，８Ｒからなる第２搬送ローラ８が、それぞれ図２に示す紙幣搬送路６に沿って設けられている。このうち第１搬送ローラ７は、本体フレーム１にフレーム開口部１１とは分離して形成された左右一対の開口部１２，１３から、それぞれ本体フレーム１の前面側に搬送ローラ７Ｌ，７Ｒの一部分が突出するように配置されている。同様に、第２搬送ローラ８は、本体フレーム１のフレーム開口部１１の左右端部から、それぞれ本体フレーム１の前面側に搬送ローラ８Ｌ，８Ｒの一部分が突出するように配置されている。
【００２３】
この本体フレーム１は、一枚の板金を四方で背面側に折り曲げ加工することによって、左右の折り返し片１４，１５、および上下部の折り返し片１６，１７を有する箱体として構成されているので、所定の剛性を備えたものとなる。
【００２４】
紙幣搬送路６には、図２に示すように、紙幣入口部２の紙幣ガイド口４に近接する位置に第１の押さえローラ９１が配置され、上部の搬送ガイド板６２側から第１搬送ローラ７に当接している。この第１の押さえローラ９１は、第１搬送ローラ７が時計方向に回転駆動されることによって、紙幣ガイド口４に挿入された紙幣ＢＮを取り込むものである。
【００２５】
また、本体フレーム１の前面側の紙幣搬送路６には、第２の押さえローラ９２が配置され、紙幣ガイド口４から離れた位置で、上部の搬送ガイド板６２側から第２搬送ローラ８に当接している。紙幣搬送路６は、フレーム開口部１１から突出する第２搬送ローラ８に沿って、搬送ガイド板６１，６２が半円形をなして構成され、紙幣識別部５側に配置された第３の押さえローラ９３が、上部の搬送ガイド板６２側から第２搬送ローラ８に当接している。
【００２６】
さらに、第１搬送ローラ７の紙幣収納庫３側には、第４の押さえローラ９４が配置され、本体フレーム１を挟んで紙幣ガイド口４と反対側で第１搬送ローラ７に当接している。これによって、紙幣搬送路６の端部まで搬送された紙幣ＢＮは、紙幣収納庫３内に押し込まれ、紙幣収納庫３内で整列して集積された状態となって収納できる。
【００２７】
いま、第１搬送ローラ７が図示した時計方向に回転して、紙幣ガイド口４から紙幣ＢＮが取り込まれると、第２搬送ローラ８も同じく時計方向に回転する。こうして、本体フレーム１に形成されたフレーム開口部１１から、その内側に設置されている紙幣識別部５に紙幣ＢＮが渡され、紙幣識別部５でその真贋が判定される。なお、挿入された紙幣ＢＮが紙幣識別部５にて識別できなかった場合には、その紙幣ＢＮは紙幣搬送路６を逆送するために、第２搬送ローラ８、第１搬送ローラ７がそれぞれ逆転駆動され、紙幣ガイド口４から返却される。
【００２８】
ここで、本体フレーム１は、図２および図３に示すように、その背面側に通じる部分が、フレーム開口部１１と、それと分離して形成された開口部１２，１３だけであり、さらに、この本体フレーム１は、図４に示すように箱状に構成されているため、本体フレーム１自体に所定の剛性を持たせることができる。しかも、本体フレーム１に形成されたフレーム開口部１１は、紙幣入口部２に設けられる紙幣ガイド口４からは離れて位置している。そのため、バールなどを紙幣ガイド口４から挿入して、その間口を押し広げようとしても、バールの先端がフレーム開口部１１まで達しなければ、本体フレーム１の板金によって紙幣収納庫３が覆い隠された状態を変更することは困難である。たとえバールの先端がフレーム開口部１１まで達したとしても、フレーム開口部１１のほかに本体フレーム１の背面側に通じる部分を開口部１２，１３だけにし、かつ、開口部１２，１３をフレーム開口部１１と分離して形成し、本体フレーム１自体の剛性を確保しているため、フレーム開口部１１からその間口を抉じ開けて紙幣収納庫３の紙幣ＢＮに到達することは容易ではない。また、本体フレーム１の板金を変形させるための手掛かりとして、紙幣ガイド口４の裏側に形成された左右一対の開口部１２，１３を用いたとしても、本体フレーム１自体が所定の剛性を備えているため、その間口を抉じ開けて紙幣収納庫３の紙幣ＢＮに到達することは容易ではない。
【００２９】
このように、紙幣ガイド口４から本体フレーム１に設けたフレーム開口部１１までの距離を大きく形成して、かつ左右一対の搬送ローラ７Ｌ，７Ｒによって紙幣ＢＮをフレーム開口部１１まで搬送するようにしたので、フレーム開口部１１以外は開口部１２，１３だけが形成されることになる。したがって、本体フレーム１自体の防盗性を高めることができ、本体フレーム１とは別の補強板を装着しなくても、紙幣収納庫に収納されている紙幣ＢＮに容易には近づくことができなくなる。
【００３０】
つぎに、第１搬送ローラ７、および第２搬送ローラ８を搬送ベルト機構に変更した紙幣識別装置について説明する。
図５は、搬送ベルト機構と本体フレームの位置関係を示す縦断面図である。
【００３１】
図５には、紙幣搬送路の構成全体は示していないが、その一部が搬送ベルト機構６３によって構成されている。この搬送ベルト機構６３は、ベルト７０がいずれも本体フレーム１の背面側に配置された駆動ローラ７１、従動ローラ７２、およびアイドルプーリ７３に掛け渡されている。そして、アイドルプーリ７３により、駆動ローラ７１と従動ローラ７２との中間位置で、ベルト７０を本体フレーム１の背面側に屈曲させるようにしている。また、本体フレーム１には図２に示すものと同様、フレーム開口部１１と、このフレーム開口部１１から分離して左右一対の開口部１２，１３が形成されている。
【００３２】
このように、搬送ベルト機構６３を用いた紙幣識別装置は、本体フレーム１自体に所定の剛性を持たせることができるから、本体フレーム１とは別の補強板を装着しなくても、バールなどによる破壊行為に耐え得るだけの十分な強度を備えた紙幣識別装置となる。しかも、このような搬送ベルト機構６３は、全ての構成部品を本体フレーム１の背面側に配置することで、その保守点検作業も容易に行えるようになる。
【００３３】
なお、上述した紙幣識別装置は、紙幣入口部２を縦長の本体フレーム１の上部に配置した構成のものとして説明したが、紙幣入口部２を本体フレーム１の下部に配置するようにしてもよい。その場合、本体フレーム１には、紙幣搬入用のフレーム開口部１１が紙幣入口部２の紙幣ガイド口４から下方に離れた位置に形成され、本体フレーム１の背面側では、紙幣識別部５が紙幣収納庫３の下部に配置されることになる。
【図面の簡単な説明】
【００３４】
【図１】実施の形態に係る紙幣識別装置の全体を示す外観斜視図である。
【図２】紙幣入口部、紙幣識別部、および紙幣収納庫を示す縦断面図である。
【図３】紙幣入口部のガイドカバーを外した本体フレームの一部分を示す斜視図である。
【図４】図３のＡ−Ａ線に沿った本体フレームの縦断面図である。
【図５】搬送ベルト機構と本体フレームの位置関係を示す縦断面図である。
【符号の説明】
【００３５】
１  本体フレーム
２  紙幣入口部
３  紙幣収納庫
４  紙幣ガイド口
５  紙幣識別部
６  紙幣搬送路
７  第１搬送ローラ
７Ｌ，７Ｒ  搬送ローラ
８  第２搬送ローラ
８Ｌ，８Ｒ  搬送ローラ
１１  フレーム開口部
１２，１３  開口部
６１，６２  上下の搬送ガイド板
６３  搬送ベルト機構
７０  ベルト
７１  駆動ローラ
７２  従動ローラ
７３  アイドルプーリ
９１〜９４  押さえローラ
【図１】
0004697203.tif 000002
【図２】
0004697203.tif 000003
【図３】
0004697203.tif 000004
【図４】
0004697203.tif 000005
【図５】
0004697203.tif 000006